(57)【要約】      （修正有）【課題】障子の見付面の寸法を小さくして、採光範囲を拡げ、窓の開放感を向上させると共に、すっきりとしたデザインの障子及びその障子を組み込むサッシ窓を提供する。【解決手段】内外障子１１、１０の上框２の見付面Ｍ２について、その見付高の寸法Ｈ２にて障子のガラスの上端部Ｇ２が収容され、下框３の見付面Ｍ３について、その見付高の寸法Ｈ３にて障子のガラスの下端部Ｇ３が収容され、サッシ枠５から臨まれる各框２、３はガラス収容部のみとなり、ガラスＧの範囲が拡大されて、各障子１０、１１を介して得られる視界を拡大させることができる。【選択図】図２
2019044349.tif 000002
【特許請求の範囲】
【請求項１】
障子の上框及び戸先框は、障子のガラスの各端部のみを収容する高さ寸法及び幅寸法の見付面を備え、障子の下框は前記ガラスの下端部とガラスライナーのみを収容する高さ寸法の見付面を備えると共に、
前記障子の戸車を取り付けるためのレ−ルヒレを前記下框の下面からサッシ枠の下枠に向けて延在させ、且つ、前記上框の上面から前記サッシ枠の上枠に向けてレールヒレを延在させていることを特徴とする障子。
【請求項２】
前記戸先框に、前記サッシ枠の縦枠に向けて、前記戸先框と前記縦枠間の気密性を保持するための気密ヒレを設けたことを特徴とする請求項１の障子。
【請求項３】
前記サッシ枠の上下枠は、前記レ−ルヒレがスライド可能なスライド部を備えていると共に、スライド部の隙間を埋める気密材を設け、且つ、
前記縦枠は、前記気密ヒレが出没可能なスライド部を備えていると共に、スライド部の隙間を埋める気密材を設けたことを特徴とする請求項２の障子を備えたサッシ枠。
【請求項４】
前記縦枠は、前記戸先框の見付面を隠すことができる隠し見付部を備え、前記上下枠は、上下框の見付面を隠すことができる隠し見付部を備えていることを特徴とする請求項３に記載のサッシ枠。
【請求項５】
前記サッシ枠の開口を遮蔽するために、送り出し、且つ、巻き戻し可能な遮蔽材を前記縦枠に設け、前記気密ヒレに前記遮蔽材の先端部を固定すると共に、前記気密ヒレを前記戸先框に対して係脱自在に構成したことを特徴とする請求項３に記載のサッシ枠。
【発明の詳細な説明】
【技術分野】
【０００１】
本発明は、引違い窓等を構成する障子及びサッシ枠に関するものである。
【背景技術】
【０００２】
従来より、引違い窓（引違障子或は引違サッシ）を構成する内外障子の上下框及び戸先框は、概ね、次のように構成されている。
例えば、特許文献１のサッシでは、内外障子５０、６０の下框５１、６１は図３のように、戸車を収容して取付ける部分（戸車収容部）と、ガラスの下端部を収容する部分（ガラス収容部）を備えている。
上框５２、６２は、図３のように、上枠５２に設けられたレール２１、２２を呑み込む部分（レール呑込部）と、ガラスの上端部を収容するガラス収容部を備えている。
戸先框としての戸当框５３、６３は、図４のように、ガラスの左又は右の各端部を収容するガラス収容部及びそのガラス収容部と縦枠５１との間に中空部を備えている。
【０００３】
このような特許文献１のサッシでは、その「背景技術」として、「召合せ部の召合框が視界を遮り、室内開放感の障害になっている」ことを挙げ（段落０００２）、「発明が解決しようとする課題」として、「本発明は上記背景技術に鑑みて、窓の中央に視界を遮る召合框を無くしても、水密気密性を容易に確保できると共に、障子閉鎖時等の縦枠衝突等に対してパネル脱落を防止したサッシの提供を目的とする」としている。
【０００４】
しかしながら、特許文献１の上記上下框及び戸当框のガラス収容部、戸車収容部、レール呑込部及び中空部が、障子の正面に臨む上下框及び戸当框の見付（以下、本書では見付面と称する）の寸法を大きくしている要素となっている。
そのため、かかる見付面の高さ寸法や幅寸法の大きさにより窓の採光範囲や室内の開放感が制約されていることも事実である。
【０００５】
その他、特許文献１では記載されていないが、従来のサッシでは、障子の脱落防止策として、別途に脱落防止部品をサッシに組み込むことが通例であつた。
【先行技術文献】
【特許文献】
【０００６】
【特許文献１】特開２００６−２６６０４１号公報
【発明の概要】
【発明が解決しようとする課題】
【０００７】
そこで、本発明は、障子の見付面の寸法を小さくして、採光範囲を拡げ、窓の開放感を向上させると共に、すっきりとしたデザインの障子及びその障子を組み込むサッシ窓を提供し、且つ、脱落防止部品を不要とするサッシ窓を提供することを目的とする。
【課題を解決するための手段】
【０００８】
本発明に係る障子の上框及び戸先框は、障子のガラスの各端部のみを収容する高さ寸法及び幅寸法の見付面を備え、障子の下框は前記ガラスの下端部とガラスライナーのみを収容する高さ寸法の見付面を備えると共に、前記障子の戸車を取り付けるためのレ−ルヒレを前記下框の下面からサッシ枠の下枠に向けて延在させ、且つ、前記上框の上面から前記サッシ枠の上枠に向けてレールヒレを延在させていることを特徴とする障子とした（請求項１に記載の発明）。
【０００９】
上記発明において、前記戸先框に前記サッシ枠の縦枠に向けて、前記戸先框と前記縦枠間の気密性を保持するための気密ヒレを設けたことを特徴とする障子とした（請求項２に記載の発明）。
【００１０】
上記発明において、前記サッシ枠の上下枠は、前記レ−ルヒレがスライド可能なスライド部を備えていると共に、スライド部の隙間を埋める気密材を設け、且つ、前記縦枠は、前記気密ヒレが出没可能なスライド部を備えていると共に、スライド部の隙間を埋める気密材を設けたことを特徴とする障子を備えたサッシ枠とした（請求項３に記載の発明）。  
【００１１】
上記発明において、前記縦枠は、前記戸先框の見付面を隠すことができる隠し見付部を備え、前記上下枠は、上下框の見付面を隠すことができる隠し見付部を備えていることを特徴とするサッシ枠とした（請求項４に記載の発明）。
【００１２】
上記発明において、前記サッシ枠の開口を遮蔽するために、送り出し、且つ、巻き戻し可能な遮蔽材を前記縦枠に設け、前記気密ヒレに前記遮蔽材の先端部を固定すると共に、前記気密ヒレを前記戸先框に対して係脱自在に構成したことを特徴とするサッシ枠とした（請求項５に記載の発明）。
【発明の効果】
【００１３】
本発明障子の上框及び戸先框は、障子のガラスの各端部のみを収容する高さ寸法及び幅寸法の見付面を備え、障子の下框は前記ガラスの下端部とガラスライナーのみを収容する高さ寸法の見付面を備えることとしたので、障子の見付面の寸法を小さくして、採光範囲を拡げ、窓の開放感を向上させることができる。
また、前記障子の戸車を取り付けるためのレ−ルヒレを前記下框の下面からサッシ枠の下枠に向けて延在させ、且つ、前記上框の上面から前記サッシ枠の上枠に向けてレールヒレを延在させることとしたので、脱落防止部品を不要とするサッシ窓を提供することができる。
さらに、前記縦枠は、前記戸先框の見付面を隠すことができる隠し見付部を備え、前記上下枠は、上下框の見付面を隠すことができる隠し見付部を備えていることを特徴とするサッシ枠としたので、居住者の視線から戸先框及び上下框が消されて、すっきりとしたデザインの障子及びサッシ窓を提供することができる。
【図面の簡単な説明】
【００１４】
【図１】本発明に係る引違障子及びこれを取り付けるサッシ枠の正面図、
【図２】図１に図示のＡ−Ａ線矢視の断面図であって、内外障子を開放して図示した内外障子の中央縦断面図、
【図３】図１に図示のＢ−Ｂ線矢視の横方向の中央横断面図、
【図４】本発明に係る引違障子の正面図、
【図５】同背面図、
【図６】同平面図、
【図７】同底面図、
【図８】同左側面図、
【図９】同右側面図、
【図１０】Ａ及びＢ  本発明に係る引違障子の下框に戸車を取り付ける場合の説明図、
【図１１Ａ】本発明に係る引違障子の戸先框と縦枠の関係を示す要部斜視図、
【図１１Ｂ】本発明に係る引違障子の戸先框と縦枠の関係を示す要部斜視図、
【図１１Ｃ】本発明に係る引違障子の戸先框と縦枠の関係を示す要部斜視図、
【図１２】本発明に係る引違障子の上框と戸先框の突当部分に取付けるコーナ部材の説明図、
【図１３】別例に係る引違障子及サッシ枠の横方向の中央横断面図、
【図１４】同中央横断面図、
【図１５】同中央横断面図、
【図１６】別例に係る引違障子及サッシ枠の縦方向の中央縦断面図、
【図１７】同引違障子及サッシ枠の横方向の中央横断面図。
【発明を実施するための形態】
【００１５】
本発明に係る障子において、第１の特徴的な構成は、引違い窓や片引き窓を構成する上下框及び戸先框に関し、上框及び戸先框は、障子のガラスの各端部のみを収容できる程度の高さ寸法又は幅寸法の見付面を備え、また下框については前記ガラスの下端部とその下のガラスライナーのみを収容できる程度の高さ寸法の見付面を備えている点である。
かかる構成は、図１乃至図３に図示されている引違障子１のように、内外障子１１、１０の前記上框２の見付面Ｍ２について、その見付高の寸法Ｈ２にて各障子１０、１１のガラスの上端部Ｇ２が収容され、前記下框３の見付面Ｍ３について、その見付高の寸法Ｈ３にて障子のガラスの下端部Ｇ３が収容され、前記戸先框４の見付面Ｍ４について、その見付幅の寸法Ｗ４にて障子のガラスの左右端部Ｇ４が収容されている。
よって、従来例の上下框及び戸先框の戸車収容部、レール呑込部及び中空部が、本発明に係る引違障子１では省かれているので、サッシ枠５から臨まれる各框２〜４はガラス収容部ＧＲの見付面Ｍ２〜Ｍ４のみとなり、ガラスＧの範囲が拡大されて、各障子１０、１１を介して得られる視界を拡大させることができる。
【００１６】
本発明に係る障子の第２の特徴的な構成は、障子の開閉に関し、各障子１０、１１をスライド移動させるレール６０を下枠５０に収容すると共に、これに走行させる戸車６を取り付けるためのレールヒレ３０を前記下框３の下面３１から下枠５０に向けて延在させ、且つ、上框２の上面２１から上枠５２に向けてレールヒレ２０を延在させている点である。
即ち、本発明に係る障子では、従来例のようにサッシの下框に設けられている戸車収容部の戸車を床面に臨むレールに走行させるものではなく、図２に図示されているように、床面７には下枠５０に形成される段差やレールの段差等が現れないので、所謂バリアフリー化を図ることができる。
【００１７】
本発明に係る障子の第３の特徴的な構成は、各障子１０、１１の前記戸先框４に関し、図３に図示されているように、その戸先框４に対向する縦枠５１に向けて、戸先框４と各縦枠５１間の気密性を保持するための気密ヒレ４０を設けた点である。
【００１８】
これらの特徴点につい、以下に詳細に説明する。
なお、本書では障子として引違障子を図示すると共に、その内外障子１１、１０の上下框２、３及び戸先框４の各構成に関し、共通する構成については同一の符号又は同一の用語を用い、且つ、原則的に外障子１０を内障子１１に代表させて説明する。
【００１９】
前記上框２は、図１、図４及び図５等のように、長尺状の形材であって、図２のように、長さ方向に交差する鉛直方向の断面が、略下向きコ字状に成形されていて、ガラスの上端部Ｇ２のみを収容するガラス収容部ＧＲと、そのガラス収容部ＧＲの外側であって、サッシ枠５の上枠５２に対向する上面２１に、前記上枠５２に向って延在するレールヒレ２０が形成されている。
このレールヒレ２０は、前記上框２と同様に長尺状に形成すると共に、長方形板状に形成してもよいし、所定間隔をあけてピース状に形成してもよい。
【００２０】
上記上框２を取り付ける上枠５２は、次のように構成されている。
即ち、図２のように、外障子１０の前記上框２のレールヒレ２０を受け入れる受入部５３を備え、その受入部５３は、前記上框２のレールヒレ２０の上部を左右から支持するスリット部５４と、このスリット部５４の隙間ｇを埋める左右の気密材５５を配置した気密材取付ヒレ５６を備えている。
【００２１】
前記気密材５５は、前記レールヒレ２０を左右から押し付けるように作用し、前記上框２のレールヒレ２０が気密材５５に当接していない場合には、前記スリット部５４の隙間ｇを埋めて、チリ等が前記受入部５３に入り込むことを防ぐようになっている。
【００２２】
前記下框３は、図１、図４及び図５等のように、長尺状の形材であって、図２のように、長さ方向に交差する鉛直方向の断面が、略上向きコ字状に成形されていて、ガラスの下端部Ｇ３とガラスライナーＧＬのみを収容するガラス収容部ＧＲと、そのガラス収容部ＧＲの外側であって、サッシ枠５の下枠５０に対向する下面３１に、前記下枠５０に向って延在するレールヒレ３０が形成されている。
【００２３】
このレールヒレ３０は、図２のように、その長さ方向に交差する鉛直方向の断面が、略Ｌ字状に成形されていて、後述のように戸車６を取り付けるようになっている。
かかるレールヒレ３０は、前記上框２のレールヒレ２０と同様に長尺状に形成してもよいし、所定間隔をあけてピース状に形成してもよい。
【００２４】
上記下框３を取り付ける前記下枠５０は、図２のように、前記レールヒレ３０を介して取り付けられる戸車６を走行させるレール６０を形成した下枠本体８と、この下枠本体８に内障子１１の前記レールヒレ３０をセットした後に、前記下枠本体８と共にレールヒレ３０をスライド可能に挟み込み、且つ、下枠本体８の上方をカバーするアタッチ材８０と、外障子１０の前記レールヒレ３０を前記下枠本体８にセットした後に、前記アタッチ材８０と共にレールヒレ３０をスライド可能に挟み込むと共に、下枠本体８の室外側をカバーするカバー材８１とからなる。
【００２５】
前記下枠本体８は、下地に固定されるもので、前記アタッチ材８０と共に前記レールヒレ３０をスライド可能に挟み込み箇所に、気密材取付ヒレ５６を備え、また前記アタッチ材８０を係止させる係止ヒレ８２を備えている。
【００２６】
前記アタッチ材８０は、前記下枠本体８の気密材取付ヒレ５６に対面する気密材取付ヒレ５６と、前記カバー材８１と共に前記レールヒレ３０をスライド可能に挟み込む気密材取付ヒレ５６と、両ヒレ５６，５６間に形成されるフラット面８３と、そのフラット面８３の下面から前記下枠本体８に向けて垂下される脚部８４と、その脚部８４の先端に前記係止ヒレ８２に係止される被係止ヒレ８５を備えている。
【００２７】
前記カバー材８１は、前記アタッチ材８０の気密材取付ヒレ５６に対面する気密材取付ヒレ５６と、前記下枠本体８に向けて垂下される脚部８６とを備えている。
【００２８】
以上のように構成される下枠５０は、前記下枠本体８の前記係止ヒレ８２に前記アタッチ材８０の被係止ヒレ８５が係合され、前記カバー材８１の脚部８６が下枠本体８にネジ止めされ、前記各気密材取付ヒレ５６間にスリット部５４が形成されるようになっている。
【００２９】
前記各気密材取付ヒレ５６には前記気密材５５が配置され、これらの気密材５５は、前記レールヒレ３０を左右から押し付けるように作用し、前記下框３のレールヒレ３０が前記各気密材取付ヒレ５６間に位置していない場合には、左右の気密材５５が当接して前記スリット部５４の隙間ｇを埋めて、チリ等が前記下枠５０に侵入することを防ぐようになっている。
【００３０】
前記戸車６は、戸車ケース６１にセットされている場合には、図１０Ａのように、前記レールヒレ３０のＵ字辺３２の端部から切り欠いて、その切欠に戸車ケース６１を取り付けて、戸車６を前記レール６０に臨ませる。
また、図１０Ｂのように、前記戸車６を前記レールヒレ３０の切欠からレール６０に臨ませると共に、その軸６２の一端を前記レールヒレ３０に沿わせて前記レールヒレ３０に固着してもよい。
【００３１】
上述のように、前記下框３にレールヒレ３０を突設し、このレールヒレ３０に戸車６を取付ると共に、戸車６を走行させるレール６０を前記下枠５０内に配置したので、下枠５０等の段差等が床面７に表れることなく、下枠５０が配置される床面７をフラット面とすることができる。
【００３２】
前記戸先框４は、図１、図４及び図５等のように、長尺状の形材であって、図３のように、その長さ方向に交差する水平方向の断面が、略横向きコ字状に成形されていて、ガラスの左端部Ｇ４のみを収容するガラス収容部ＧＲと、そのガラス収容部ＧＲの外側であって、縦枠５１に対向する側面４１に、前記縦枠５１に向って延在される気密ヒレ４０が形成されている。
この気密ヒレ４０は、外障子１０が閉鎖されている状態において、室内外の気密を保持するもので、前記戸先框４の長手方向に沿って、長尺の長方形の板状に形成されている。
【００３３】
上記縦枠５１は、次のように構成されている。
図３のように、前記気密ヒレ４０を受け入れる受入部５３を備え、その受入部５３は、前記ヒレ４０を左右から支持するスリット部５４と、このスリット部５４の隙間ｇを埋める左右の気密材５５を配置する気密材取付ヒレ５６を備え、気密ヒレ４０を出没可能とする。
即ち、図１１Ａに示したように、内障子１１が閉じられる前は、前記気密材５５が前記受入部５３を閉鎖しており、図１１Ｂ乃至図１１Ｃに示したように、前記内障子１１を閉じる際に、前記戸先框４の気密ヒレ４０の先端が前記気密材５５を押し開いて、前記受入部５３に前記気密ヒレ４０を受け入れるようになっていて、前記気密材５５は、前記気密ヒレ４０を左右から押し付けるように作用している。
一方、内障子１１の開放により戸先框４が移動して気密ヒレ４０が受入部５３から抜け出た場合には、前記気密材５５が前記スリット部５４の隙間ｇを埋めて、チリ等が前記受入部５３に入り込むことを防ぐようになっている。
【００３４】
前記上框２と前記戸先框４を組立てた場合に、図１２のように各ヒレ２０、４０の各端部が切り欠かれたような空間Ｓが形成される。その空間Ｓにより室内外の気密性が保たれないことから、図１２のような、前記空間Ｓを塞ぐピース材５７を設け、前記上框２のタッピング２２にネジ止めする。
【００３５】
以上のように構成される引違障子１の作用効果は、次の通りである。
（１）  従来例の上下框及び戸先框の戸車収容部、レール呑込部及び中空部が省かれているので、サッシ枠５から臨まれる各框２〜４の見付面Ｍ２〜Ｍ４は、ガラス収容部ＧＲのみとなり、ガラスＧの範囲が拡大されて、内外障子１１、１０を介して得られる視界を拡大させることができる。
（２）  従来例のようにサッシの下框に設けられている戸車収容部の戸車を床面に臨むレールに走行させるものではなく、床面７にはレール等の段差等がないので、所謂バリアフリー化を図ることができる。
（３）  前記各レールヒレ２０，３０が走行する前記各スリット部５４には、その隙間ｇを埋める方向へ可変する気密材５５を設けたので、上下枠５０、５２内へのゴミ等の侵入を防ぐことができる。
また、前記気密ヒレ４０が出没する前記スリット部５４にも、その隙間ｇを埋める方向へ可変する気密材５５を設けたので、前記縦枠５１内へのゴミ等の侵入を防ぐことができる。
（４）  前記上框２のレールヒレ２０が、上枠５２内を走行し、また前記下框３のレールヒレ３０が、下枠５０内を走行することにより、内外障子１１、１０の脱落を防ぐことができ、別途に脱落防止部品を取り付ける必要がなくなる。
【００３６】
次に、図１３〜図１５に基づいて、別例に係る引違障子１の構成例を説明する。
この障子１は、ロールスクリーン等の遮光部材、網戸等の防虫部材等のサッシ枠５の開口を遮蔽する遮蔽材９を巻取及び送出自在に前記縦枠５１に取付けたもので、遮蔽材９の先端部９１と前記気密ヒレ４０を組み合わせた場合の構成例を示したものである。
即ち、図１３に示したように、前記先端部９１を固定する気密ヒレとしての固定部材９２と、この固定部材９２を係脱自在に取付けるために前記戸先框４に形成された取付部９３からなる。
【００３７】
図１３のように、引違障子１が閉鎖状態にあるときは、前記固定部材９２と取付部９３とが一体となり、且つ、前記固定部材９２が縦枠５１のスリット部５４に没入されて、気密性が保たれる。
図１４のように遮蔽材９を使用しない場合には、前記固定部材９２と取付部９３の連結を解いて、外障子１０をスライドさせる。
図１５のように遮蔽材９を使用する場合には、前記固定部材９２と取付部９３を連結させて、外障子１０をスライドさせる。
【００３８】
以上の構成による引違障子１の効果は、次のとおりである。
（５）  気密性を保持できるようにしつつ、前記障子１に網戸等を取り付けることができる。
【００３９】
次に、図１６及び図１７に基づいて、別例に係るサッシ枠５の構成例を説明する。
このサッシ枠５に係る上枠５２は、図１６のように、上框２の見付面Ｍ２を隠すことができる隠し見付部５８を備え、下枠５０は下框３の見付面Ｍ３を隠すことができる隠し見付部５８を備えている。
また、このサッシ枠５に係る右縦枠５１は、図１７のように、外障子１０の戸先框４の見付面Ｍ４を隠すことができる隠し見付部５８を備え、左縦枠５１は、図１７のように、内障子１１の戸先框４の見付面Ｍ４を隠すことができる隠し見付部５８、５８を備えている。
以上の構成による引違障子１の効果は、次のとおりである。
（６）  前記各隠し見付部５８は、室内から室外に向けられた視線に対し、各障子１０，１１の見付面Ｍ２〜Ｍ４を隠すもので、採光範囲を確保しつつ、窓の開放感を改善すると共に、すっきりとしたデザインのサッシ窓とすることができる。
【００４０】
本発明は、以上説明した実施形態に限定されるものではなく、多くの変形が本発明の技術的思想内で当分野において、通常の知識を有する者により可能である。即ち、上記実施形態では、障子として引違障子の構成例を示しているが、片引き窓又は引き分け窓に用いられる障子でもよい。
【符号の説明】
【００４１】
１  引違障子
１０  外障子                            １１  内障子
２  上框
Ｈ２  高さ寸法                          Ｍ２  見付面
２０  レールヒレ                        ２１  上面
２２  タッピング
３  下框
Ｈ３  高さ寸法                          Ｍ３  見付面
３０  レールヒレ                        ３１  下面
３２  レールヒレのＵ字辺
４  戸先框
Ｗ４  幅寸法                            Ｍ４  見付面
４０  気密ヒレ                          ４１  側面
Ｇ  ガラス                              ＧＲ  ガラス収容部
Ｇ２  Ｇ３  Ｇ４  ガラスの各端部
ＧＬ  ガラスライナー
５  サッシ枠
５０  下枠
５１  縦枠
５２  上枠
５３  受入部
５４  スリット部
５５  気密材                            ５６  気密材取付ヒレ
５７  ピース材
５８  隠し見付部
６  戸車
６０  レール６０                        ６１  戸車ケース
６２  戸車の軸
７  床面
８  下枠本体
８０  アタッチ材
８１  カバー材
８２  係止ヒレ                          ８３  フラット面
８４  脚部                              ８５  被係止ヒレ
８６  脚部
９  遮蔽材（ロールスクリーン等の遮光部材  網戸等の防虫部材）
９１  先端部
９２  固定部材（気密ヒレ）              ９３  取付部
ｇ  スリット部の隙間
Ｓ  空間
【図１】
2019044349.tif 000003
【図２】
2019044349.tif 000004
【図３】
2019044349.tif 000005
【図４】
2019044349.tif 000006
【図５】
2019044349.tif 000007
【図６】
2019044349.tif 000008
【図７】
2019044349.tif 000009
【図８】
2019044349.tif 000010
【図９】
2019044349.tif 000011
【図１０】
2019044349.tif 000012
【図１１Ａ】
2019044349.tif 000013
【図１１Ｂ】
2019044349.tif 000014
【図１１Ｃ】
2019044349.tif 000015
【図１２】
2019044349.tif 000016
【図１３】
2019044349.tif 000017
【図１４】
2019044349.tif 000018
【図１５】
2019044349.tif 000019
【図１６】
2019044349.tif 000020
【図１７】
2019044349.tif 000021